(57)【要約】【課題】簡易な構成で保管部に対するロール状媒体の収納及び取出しが可能なロール状媒体の保管装置を提供すること。【解決手段】横向き状態のロール状媒体を保持手段３１０に保持させて縦向き状態に旋回させ、当該ロール状媒体を移動手段３３０により保管部３２０へ移動させて収納する。縦向き状態のロール状媒体を移動手段により保持手段へ移動させ、当該ロール状媒体を保持手段に保持させて横向き状態に旋回させて取出す。これにより、簡易な構成であるにもかかわらず、ロール状媒体を保管部に静止保管することができるとともに、ロール状媒体を保管部へ容易に収納し、あるいは保管部から容易に取出すことができるので、従来のように複雑で大掛かりな構成の別装置は不要となり、コストを低減させることができる。【選択図】      図１
2004359429.tif 000002
【特許請求の範囲】
【請求項１】
ロール状媒体を保管する保管装置であって、
前記ロール状媒体を保持して旋回させる保持手段と、
前記ロール状媒体を縦向き状態で保管する保管部と、
前記ロール状媒体を前記保持手段と前記保管部との間で移動させる移動手段とを備え、
前記ロール状媒体を前記保管部に収納するときは、横向き状態の前記ロール状媒体を前記保持手段に保持させて縦向き状態に旋回させ、当該ロール状媒体を前記移動手段により前記保管部へ移動させ、
前記ロール状媒体を前記保管部から取出すときは、縦向き状態の前記ロール状媒体を前記移動手段により前記保持手段へ移動させ、当該ロール状媒体を前記保持手段に保持させて横向き状態に旋回させることを特徴とするロール状媒体の保管装置。
【請求項２】
前記保持手段は、前記ロール状媒体の外周面を把持する把持手段と、前記把持手段を回転させる回転手段とを有することを特徴とする請求項１に記載のロール状媒体の保管装置。
【請求項３】
前記把持手段は、前記ロール状媒体の外周面の略中央部を把持することを特徴とする請求項２に記載のロール状媒体の保管装置。
【請求項４】
前記保持手段は、前記把持手段及び前記回転手段を上下に移動させる上下移動手段を有することを特徴とする請求項２または３に記載のロール状媒体の保管装置。
【請求項５】
前記保管部は、縦向き状態の前記ロール状媒体を囲って収納する収納部を有することを特徴とする請求項１〜４の何れか一項に記載のロール状媒体の保管装置。
【請求項６】
前記移動手段は、縦向き状態の前記ロール状媒体の下端部に嵌入して当該ロール状媒体を軸支して移動する移動部を有することを特徴とする請求項１〜５の何れか一項に記載のロール状媒体の保管装置。
【請求項７】
前記移動手段は、前記保持手段と前記保管部との間での前記移動部の移動を案内する案内経路を有することを特徴とする請求項６に記載のロール状媒体の保管装置。
【発明の詳細な説明】
【０００１】
【発明の属する技術分野】
本発明は、ロール状媒体を保管する保管装置に関する。
【０００２】
【従来の技術】
大型のプリンタに使用される記録用のロール紙は、軸方向の長さが例えば１８５ｃｍ（７４ｉｎ）にもなる。このような長尺のロール紙は、例えば台車上に垂直姿勢で保管されている。すなわち、保管装置である台車は、ロール紙の端面を支えるとともにロール紙の中心に挿入されているロール軸の端部に嵌合する支持部材が設けられている。さらに、台車は、ロール紙の外周の複数箇所を外側から弾性的に押圧する支持アームが設けられている。このような保管装置によれば、ロール紙を水平姿勢で積み重ねて保管する場合に比べ、ロール紙の損傷を減少させることができる（特許文献１参照）。
【０００３】
【特許文献１】
特開２００２−２４０９９６号公報
【０００４】
【発明が解決しようとする課題】
上述した従来の保管装置は、ロール紙を単に静止保管するためのものである。したがって、ロール紙を保管装置に収納したり保管装置から取出してプリンタにセッティングするためには、複雑で大掛かりな構成のロール紙セット補助装置が別途必要となっている。
【０００５】
本発明は、上記のような種々の課題に鑑みなされたものであり、その目的は、簡易な構成で保管部に対するロール状媒体の収納及び取出しが可能なロール状媒体の保管装置を提供することにある。
【０００６】
【課題を解決するための手段】
上記目的達成のため、本発明のロール状媒体の保管装置では、前記ロール状媒体を保持して旋回させる保持手段と、前記ロール状媒体を縦向き状態で保管する保管部と、前記ロール状媒体を前記保持手段と前記保管部との間で移動させる移動手段とを備え、前記ロール状媒体を前記保管部に収納するときは、横向き状態の前記ロール状媒体を前記保持手段に保持させて縦向き状態に旋回させ、当該ロール状媒体を前記移動手段により前記保管部へ移動させ、前記ロール状媒体を前記保管部から取出すときは、縦向き状態の前記ロール状媒体を前記移動手段により前記保持手段へ移動させ、当該ロール状媒体を前記保持手段に保持させて横向き状態に旋回させることを特徴としている。これにより、簡易な構成であるにもかかわらず、ロール状媒体を保管部に静止保管することができるとともに、ロール状媒体を保管部へ容易に収納し、あるいは保管部から容易に取出すことができるので、従来のように複雑で大掛かりな構成の別装置は不要となり、コストを低減させることができる。
【０００７】
また、前記保持手段は、前記ロール状媒体の外周面を把持する把持手段と、前記把持手段を回転させる回転手段とを有することを特徴としている。これにより、ロール状媒体を容易に旋回させることができるとともに、ロール状媒体の旋回中の落下を防止することができる。また、前記把持手段は、前記ロール状媒体の外周面の略中央部のみを把持することを特徴としている。これにより、保持手段自体を小型で簡易な構成とすることができる。また、前記保持手段は、前記把持手段及び前記回転手段を上下に移動させる上下移動手段を有することを特徴としている。これにより、軸方向の長さが異なるロール状媒体であっても、その所望の箇所、特に中央部を正確に把持することができる。
【０００８】
また、前記保管部は、縦向き状態の前記ロール状媒体を囲って収納する収納部を有することを特徴としている。これにより、保管されているロール状媒体の倒れを防止することができる。また、前記移動手段は、縦向き状態の前記ロール状媒体の下端部に嵌入して当該ロール状媒体を軸支して移動する移動部を有することを特徴としている。これにより、ロール状媒体を縦向きの状態のままで容易に移動させることができる。また、前記移動手段は、前記保持手段と前記保管部との間での前記移動部の移動を案内する案内経路を有することを特徴としている。これにより、ロール状媒体を保持手段及び保管部に正確に位置決めすることができる。
【０００９】
【発明の実施の形態】
図１は、本発明の実施の形態に係るロール状媒体の保管装置を示す斜視図である。図１に示す保管装置３００は、ロール紙を保持して旋回させる保持機構（保持手段）３１０、ロール紙を略垂直姿勢である縦向き状態で保管する保管庫（保管部）３２０、ロール紙を保持機構３１０と保管庫３２０との間で移動させる移動機構（移動手段）３３０を備えている。
【００１０】
保持機構３１０は、ロール紙の外周面の略中央部を両側から把持する一対の把持部材（把持手段）３１１、３１２、これらの把持部材３１１、３１２を支持して開閉させる一対のアーム部材（把持手段）３１３、３１４、これらのアーム部材３１３、３１４を把持部材３１１、３１２とともに回転させる回転機構（回転手段）３１５を備えている。さらに、アーム部材３１３、３１４及び回転機構３１５を把持部材３１１、３１２とともに上下に移動させる上下移動機構（上下移動手段）３１６を備えている。
【００１１】
把持部材３１１、３１２は、ロール紙の外周円弧面と略同一に湾曲して形成されて保管庫３２０の前面側に対向配設されている。そして、把持部材３１１、３１２の内周面は、ロール紙を把持したときの滑り止めのために粗面に形成され、もしくはゴム板等の高摩擦材が貼着されている。アーム部材３１３、３１４は、先端側が把持部材３１１、３１２の外周面の略中央部に固設されており、把持部材３１１、３１２が自動もしくは手動で開閉自在なように後端側が保管庫３２０に内蔵されている回転機構３１５に可動支持されている。ユーザは、アーム部材３１３、３１４を把持部材３１１、３１２とともに図示矢印ａ方向に開閉動作させるのみで、ロール紙を把持部材３１１、３１２に対し着脱することができる。
【００１２】
回転機構３１５は、保管庫３２０に内蔵されており、保管庫３２０の前面側に突き出るように配設されている一対のアーム部材３１３、３１４を把持部材３１１、３１２とともに突出方向を軸に自動もしくは手動で回転させるギア機構もしくはベルト機構等を備えている。回転機構３１５は、把持部材３１１、３１２が略垂直姿勢である縦向き状態から略水平姿勢である横向き状態までの間の約９０°の角度範囲で回転可能となっている。そして、回転機構３１５は、把持部材３１１、３１２が略垂直姿勢である縦向き状態のとき及び略水平姿勢である横向き状態のときにストッパが掛かって回転停止するようになっている。ユーザは、アーム部材３１３、３１４を把持部材３１１、３１２とともに図示矢印ｂ方向に回転動作させるのみで、把持部材３１１、３１２に把持されたロール紙を旋回させることができる。
【００１３】
上下移動機構３１６は、保管庫３２０に内蔵されており、回転機構３１５をアーム部材３１３、３１４及び把持部材３１１、３１２とともに略垂直方向に自動もしくは手動で移動させるスライド軸機構もしくはボールネジ機構等を備えている。上下移動機構３１６は、保管庫３２０の高さ範囲で把持部材３１１、３１２を移動させるようになっている。そして、上下移動機構３１６は、把持部材３１１、３１２が任意の高さ位置のときにストッパが掛かって移動停止するようになっている。ユーザは、回転機構３１５をアーム部材３１３、３１４及び把持部材３１１、３１２とともに図示矢印ｃ方向に直線移動動作させるのみで、長さが異なるロール紙であってもその中央部を把持部材３１１、３１２に把持させることができる。
【００１４】
保管庫３２０は、直方体状に形成されている。そして、保管庫３２０の前面側に配設されている保持機構３１０の両側には、略垂直姿勢である縦向き状態のロール紙を囲って収納する断面がＵ字状の収納部３２１が設けられている。ユーザは、ロール紙を収納部３２１内に押し込む動作のみで、ロール紙を保管庫３２０に収納し、またロール紙を収納部３２１から引き出す動作のみで、ロール紙を保管庫３２０から取出すことができる。
【００１５】
移動機構３３０は、扁平の直方体状に形成されて保管庫３２０の底部に配設されている。そして、移動機構３３０の上面には、略垂直姿勢である縦向き状態のロール紙を軸支して移動する移動部材（移動部）３３１と、保持機構３１０と保管庫３２０との間での移動部材３３１の移動を案内する案内経路３３２が配設されている。移動部材３３１は、ロール紙の紙管の下端部に嵌入する円筒状の突起３３１ａが上部に形成され、また円滑な移動のための図示しないコロ等が下部に配設されている。案内経路３３２は、保持機構３１０の把持部材３１１、３１２の下方と保管庫３２０の収納部３２１の下方を繋ぐＥ字形の矩形溝状に形成されている。ユーザは、ロール紙の紙管の下端部を突起３３１ａに嵌入した後は、ロール紙を軽く押し引きする動作のみで、ロール紙を保持機構３１０と保管庫３２０との間で移動させ位置決めすることができる。
【００１６】
このような構成において、ロール紙を保管庫３２０に収納するときは、例えばユーザが抱えた横向き状態のロール紙を保持機構３１０に保持させる。その後、その横向き状態のロール紙を縦向き状態に旋回させて移動機構３３０に装着し、保管庫３２０へ移動させて収納する。一方、ロール紙を保管庫３２０から取出すときは、縦向き状態のロール紙を保持機構３１０へ移動させて保持機構３１０に保持させる。その後、その縦向き状態のロール紙を横向き状態に旋回させ、例えばユーザが抱えて取り出す。このように保管装置３００によれば、保持機構３１０と移動機構３３０の機能により、ロール紙を保管庫３２０に静止保管することができるとともに、ロール紙を保管庫３２０へ容易に収納し、あるいは保管庫３２０から容易に取出すことができる。
【００１７】
なお、上述した実施形態では、保持機構３１０はロール紙の外周面の略中央部の１箇所を両側から把持する構成としたが、これに限定されるものではなく、例えば、ロール紙の外周面の略両端部の２箇所を両側から把持する保持機構、ロール紙の外周面の略中央部及び両端部の３箇所を両側から把持する保持機構等、ロール紙の外周面の複数箇所を把持する保持機構としても良い。
【００１８】
また、保管庫３２０は２つの収納部３２１に２つのロール紙を保管する構成としたが、これに限定されるものではなく、例えば、収納部を奥深く形成して複数のロール紙を奥行き方向に並べて保管する保管庫、収納部を複数並設して複数のロール紙を幅方向に並べて保管する保管庫としても良い。また、移動機構３３０は突起３３１ａにロール紙の紙管の下端部を嵌入する構成としたが、これに限定されるものではなく、例えば、窪みにロール紙の外周下端部を嵌入する移動機構としても良い。さらに、案内経路３３２を矩形溝状とする構成としたが、これに限定されるものではなく、例えば、案内経路をレール状とした移動機構としても良い。この場合、移動部材にはレールを跨ぐ溝を形成する。ここで、上記保管装置３００に保管されているロール紙が使用可能なインクジェット式プリンタについて以下説明する。
【００１９】
図２は、上記インクジェット式プリンタの構成例を示す斜視図であり、図３は、そのインクジェット式プリンタの主要部の内部構成例を示す斜視図である。図２及び図３に示すインクジェット式プリンタ１００は、例えばＪＩＳ規格のＡ１判やＪＩＳ規格のＢ１判といった比較的大型のサイズの用紙幅を有するロール紙に記録できる大型のプリンタであり、本体部１１０内に記録部１２０と排紙部１３０が配設され、本体部１１０を支える脚部１４０の間に本発明の特徴的な部分である給紙部１５０が配設された構成となっている。
【００２０】
本体部１１０は、図２及び図３に示すように、記録部１２０と排紙部１３０を覆うプラスチックあるいは板金でなるハウジング１１１を備えている。そして、このハウジング１１１は、図２及び図３に示すように、上面及び前面が開放可能なように半透明もしくは透明のプラスチックあるいは板金でなる上蓋１１２及び前蓋１１３が配設されている。
【００２１】
上蓋１１２は、図２及び図３に示すように、後部が回動可能に支持されており、ユーザが前部を持って押し上げ、あるいは押し下げることにより開閉するようになっている。ユーザは、上蓋１１２を開けることにより記録部１２０及び排紙部１３０の上方を大きく開放することができるので、記録ヘッド１２１やキャリッジ１２２等のメンテナンス作業及び記録中や排紙中における紙ジャム等の用紙搬送エラーの解除作業等を容易に行うことができる。
【００２２】
前蓋１１３は、図２及び図３に示すように、下部が回動可能に支持されており、ユーザが上部を持って押し下げ、あるいは押し上げることにより開閉するようになっている。ユーザは、前蓋１１３を開けることにより記録部１２０及び排紙部１３０の下方を大きく開放することができるので、給紙中における紙ジャム等の用紙搬送エラーの解除作業等を容易に行うことができる。
【００２３】
また、本体１１０の前面側から見て右側下部には、図２及び図３に示すように、各色のインクカートリッジ１０を収納保持するホルダ本体１６１とその前面を覆うカバー１６２を有するインクカートリッジホルダ１６０が配設されている。このカバー１６２は、下部がホルダ本体１６１に対し回動可能に支持されており、ユーザが上部を持って押し下げ、あるいは押し上げることにより開閉するようになっている。ユーザは、カバー１６２を開けることによりホルダ本体１６１を大きく開放することができるので、インクカートリッジ１０の交換作業等を容易に行うことができる。
【００２４】
さらに、本体１１０の前面側から見て右側上部には、図２及び図３に示すように、ユーザが記録制御等を操作するための操作パネル１７０が配設されている。この操作パネル１７０は、液晶画面と各種ボタンが配設されており、ユーザが液晶画面を見て確認しながらボタン操作できるようになっている。ユーザは、視認による確実な操作を行うことができるので、動作エラーや動作ミス等を無くすことができる。
【００２５】
記録部１２０は、図３に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４、ロール紙を搬送する紙送りローラ１２５とその従動ローラ１２６、ロール紙の浮き上がりを防止する図示しない紙吸引手段等を備えている。
【００２６】
記録ヘッド１２１は、ブラックインクを吐出するブラックインク用記録ヘッドと、ダークイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００２７】
キャリッジ１２２は、図３に示すように、主走査方向に設けられているレール１２７にベアリングを介して載置され、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。ＦＦＣ１２３は、一端が制御部のコネクタに接続され、他端が記録ヘッド１２１のコネクタに接続されており、記録信号を制御部から記録ヘッド１２１に送るようになっている。
【００２８】
インクチューブ１２４は、上記各色のインク用が配設されており、図示しないインク加圧供給手段を介して各一端が対応する各色のインクカートリッジ１０に繋がれ、各他端が対応する各色の記録ヘッド１２１に繋がれている。そして、インクチューブ１２４は、インク加圧供給手段によって加圧された各色のインクをインクカートリッジ１０から記録ヘッド１２１に送るようになっている。
【００２９】
紙送りローラ１２５は、図示しないモータにより正逆回転駆動するようになっている。従動ローラ１２６は、バネ等の付勢部材により紙送りローラ１２５に押圧されており、紙送りローラ１２５の正逆回転駆動に追従して正逆回転するようになっている。そして、紙送りローラ１２５とその従動ローラ１２６は、給紙されるロール紙を挟持して送り出すようになっている。
【００３０】
排紙部１３０は、図３に示すように、ロール紙を副走査方向に搬送して排紙する排紙ローラ１３１とその従動ローラ１３２、記録完了したロール紙を所定箇所で切断する図示しないカッタ等を備えている。排紙ローラ１３１は、図示しないモータにより正逆回転駆動するようになっている。従動ローラ１３２は、バネ等の付勢部材により排紙ローラ１３１に押圧されており、排紙ローラ１３１の正逆回転駆動に追従して正逆回転するようになっている。排紙ローラ１３１とその従動ローラ１３２は、搬送されるロール紙を挟持して送り出すようになっている。
【００３１】
脚部１４０は、図２及び図３に示すように、移動用のコロ１４１を有する２本の支持柱１４２を備えている。そして、支持柱１４２の上部に本体部１１０が載置されネジ止め固定されるようになっている。支持柱１４２に移動用のコロ１４１が配設されていることにより、重量のある本体部１１０を所望の位置へスムーズに移動させて設置することができるようになっている。
【００３２】
給紙部１５０は、図２に示すように、本体部１１０の下方であって脚部１４０の間に配設されており、ロール紙の両端を支持する一対の支持部１５１、ロール紙を給送する送り出しローラ１５２とピンチローラ１５３を備えている。さらに、支持部１５１が固定されているとともに、送り出しローラ１５２とピンチローラ１５３の各両端が軸支されている一対のアーム部１５４を備えている。このような構成の給紙部１５０の詳細について、さらに図４を参照して以下説明する。
【００３３】
図４は、上記給紙部１５０の詳細を示す斜視図である。一対の支持部１５１は、対向配置される一対のアーム部１５４の対向面にそれぞれ固定して取り付けられている。そして、一対の支持部１５１は、軸受が内蔵されており、図８に示すロール紙Ｒの内周部に貫装されてロール紙Ｒを支持するロール軸１５５の両端を回動自在に軸支持するようになっている。
【００３４】
すなわち、ロール軸１５５は、中央にロール紙Ｒが嵌め込まれてロール紙Ｒの両側に一対のフランジ状のロール紙押さえ１５６が嵌め込まれ、一対の支持部１５１の間に架け渡されるようになっている。ユーザは、ロール軸１５５が取り付けられたロール紙を抱えて、ロール軸１５５の両端を一対の支持部１５１に嵌め込むのみでロール紙の装着を完了させることができるので、ロール紙のセッティング作業工数を大幅に減少させることができる。
【００３５】
送り出しローラ１５２とピンチローラ１５３は、例えばゴム等が被覆された金属あるいはプラスチックで形成されており、各ローラ１５２、１５３の両端が、対向配置される一対のアーム部１５４の対向面にそれぞれ回動自在に軸支持されている。すなわち、送り出しローラ１５２とピンチローラ１５３は、一対のアーム部１５４の間に架け渡されるようにして配設されている。
【００３６】
そして、送り出しローラ１５２の両端は一対のアーム部１５４の対向面の一定箇所に軸支持されているが、ピンチローラ１５３は送り出しローラ１５２に対して当接・離間可能なように、ピンチローラ１５３の両端軸は一対のアーム部１５４の対向面に設けられた例えば溝内を移動可能に軸支持されている。そして、ピンチローラ１５３は、送り出しローラ１５２に対して当接した位置及び離間した位置にて、例えばアーム部１５４の対向面に設けられた係止部材と付勢部材等を用いたロック機構によりロックされるようになっている。
【００３７】
ユーザは、支持部１５１に内蔵されている軸受により、ロール紙の先端部を容易に引き出すことができるとともに、ピンチローラ１５３の移動機構により、ロール紙の先端部を送り出しローラ１５２とピンチローラ１５３の間に容易に挿入・挟持させることができるので、ロール紙のセッティング作業工数を大幅に減少させることができる。
【００３８】
一対のアーム部１５４は、脚部１４０の２本の支持柱１４２の対向面にそれぞれ図示矢印方向に回動自在に取り付けられている。そして、一対のアーム部１５４の回動は、図９に示すロール紙のセッティング位置と図４に示すロール紙の給紙位置にて、例えば支持柱１４２の対向面に設けられた係止部材と付勢部材等を用いたロック機構によりロックされて位置決めされるようになっている。
【００３９】
すなわち、一対のアーム部１５４をロール紙のセッティング位置に回動させたときは、送り出しローラ１５２とピンチローラ１５３はインクジェット式プリンタ１００の前面側に飛び出し、一対のアーム部１５４をロール紙の給紙位置に回動させたときは、送り出しローラ１５２とピンチローラ１５３はインクジェット式プリンタ１００の背面側に回り込んで、ロール紙の搬送経路と接続されるようになっている。
【００４０】
ユーザは、ロール紙の先端部を送り出しローラ１５２とピンチローラ１５３の間に挿入・挟持させる際、インクジェット式プリンタ１００の背面側に潜り込まなくても、インクジェット式プリンタ１００の前面側にて通常の立ち位置で作業を行うことができるので、ロール紙のセッティング作業工数を大幅に減少させることができる。
【００４１】
なお、一対の支持部１５１は、対向配置される一対のアーム部１５４の対向面にそれぞれ固定して取り付けられ、アーム部１５４とともに回動する構成としたが、脚部１４０の２本の支持柱１４２の対向面に取り付けられたアーム部１５４の回動軸と同芯の軸にそれぞれ固定して取り付けるように構成しても同様の効果を奏する。すなわち、アーム部１５４の回動とは無関係に常に一定位置に固定された支持部１５１としても良い。
【００４２】
このような構成のインクジェット式プリンタ１００に本実施形態に係る保管装置３００に保管されているロール紙を取り出して装着し記録する手順を図５〜図１１を参照して説明する。ここで、図５（Ａ）に示すように、ロール紙Ｒは、既に保管庫３２０の２箇所の収納部３２１に略垂直姿勢である縦向き状態で収納されて保管されているものとする。
【００４３】
先ず、ユーザは、図５（Ｂ）に示すように、上下移動機構３１６によりアーム部材３１３、３１４を把持部材３１１、３１２とともに上方へ移動させ、把持部材３１１、３１２をロール紙Ｒの略中央部に位置決めする。そして、ユーザは、図６（Ａ）に示すように、収納部３２１に収納されているロール紙Ｒを軸支している移動部材３３１を案内経路３３２に沿って手前へ移動させることにより、そのロール紙Ｒを移動機構３３０の最前部まで引き出す。
【００４４】
続いて、ユーザは、図６（Ｂ）に示すように、そのロール紙Ｒを軸支している移動部材３３１を案内経路３３２に沿って右横へ移動させることにより、そのロール紙Ｒを保持機構３１０の前方に位置決めした後、把持部材３１１、３１２を左右に開く。そして、ユーザは、図７（Ａ）に示すように、そのロール紙Ｒを軸支している移動部材３３１を案内経路３３２に沿って奧へ移動させることにより、そのロール紙Ｒを左右に開いている把持部材３１１、３１２の間に位置決めした後、把持部材３１１、３１２を閉じてロール紙Ｒの外周面の略中央部を把持させる。
【００４５】
続いて、ユーザは、図７（Ｂ）に示すように、回転機構３１５によりアーム部材３１３、３１４を把持部材３１１、３１２とともに約９０゜回転させ、把持部材３１１、３１２に把持されているロール紙Ｒを略垂直姿勢である縦向き状態から略水平姿勢である横向き状態に旋回させて位置決めする。そして、ユーザは、図８（Ａ）に示すように、ロール軸１５５に嵌め込まれている一対のロール紙押さえ１５６の一方をロール軸１５５の一端から引き抜く。
【００４６】
続いて、ユーザは、図８（Ｂ）に示すように、ロール軸１５５の一端を略水平姿勢である横向き状態で把持部材３１１、３１２に保持されているロール紙Ｒの軸穴Ｒａの一端から挿入して貫通させる。さらに、ユーザは、図８（Ｃ）に示すように、ロール軸１５５の他端側に挿入固定されている他方のロール紙押さえ１５６をロール紙Ｒの軸穴Ｒａの一端に嵌め込んで当接させる。そして、ユーザは、一方のロール紙押さえ１５６をロール軸１５５の一端から挿入して、ロール紙Ｒの軸穴Ｒａの他端に嵌め込む。これにより、ロール紙Ｒはロール軸１５５と共に回転可能となる。ロール紙Ｒは両端が開放状態で把持部材３１１、３１２に把持されているので、ロール軸１５５等のセッティング作業を容易に行うことができる。
【００４７】
次に、ユーザは、例えば送り出しローラ１５２を手前に引いてアーム部１５４を揺動させ、ロール紙の給紙位置に位置決めされている状態（図４参照）にあるアーム部１５４を図９（Ａ）に示すロール紙のセッティング位置に位置決めしてロックする。そして、ユーザは、ロール軸１５５が挿入されたロール紙Ｒを抱えて把持部材３１１、３１２を開き、支持部１５１の上方へ移動させて、図９（Ｂ）に示すように、ロール軸１５５の両端部を各支持部１５１の窪み１５１ａにそれぞれ嵌め込む。ロール紙Ｒはユーザのほぼ腰の高さで把持部材３１１、３１２に把持されているので、ユーザはロール紙を持ち上げる必要がなく、ロール紙Ｒのセッティング作業を容易に行うことができる。また、ロール軸１５５の両端を一対の支持部１５１に嵌め込むのみでロール紙Ｒの装着を完了させることができるので、ロール紙Ｒのセッティング作業工数を大幅に減少させることができる。
【００４８】
次に、図１０（Ａ）に示すように、ユーザは、ピンチローラ１５３を持ち上げて送り出しローラ１５２に対して離間させてロックする。そして、ロール紙Ｒの先端部を前方に引き出してピンチローラ１５３と送り出しローラ１５２の間に通す。続いて、図１０（Ｂ）に示すように、ユーザは、ピンチローラ１５３を押し下げて送り出しローラ１５２に対して当接させてロックし、ロール紙Ｒの先端部をピンチローラ１５３と送り出しローラ１５２の間に挟持させる。このように、インクジェット式プリンタ１００の前面側にて通常の立ち位置でロール紙の先端部を引き出して送り出しローラ１５２とピンチローラ１５３に挟持させることができるので、ロール紙のセッティング作業工数を大幅に減少させることができる。
【００４９】
次に、図１１（Ａ）に示すように、ユーザは、例えば送り出しローラ１５２を奥へ押してアーム部１５４を揺動させ、ロール紙のセッティング位置に位置決めされている状態にあるアーム部１５４をロール紙の給紙位置に位置決めする。これにより、ピンチローラ１５３と送り出しローラ１５２の間に挟持されているロール紙Ｒの先端部歯、給紙案内１５７の入口に位置決めされる。
【００５０】
ここで、ユーザが操作パネル１７０を操作してインクジェット式プリンタ１００を起動させると、図１１（Ｂ）に示すように、送り出しローラ１５２が回転を開始する。そして、ピンチローラ１５３と送り出しローラ１５２の間に挟持されているロール紙Ｒは、給紙案内１５７に案内されて上方の記録部１２０へ送り出される。そして、ロール紙Ｒは、紙送りローラ１２５とその従動ローラ１２６に挟持されて副走査方向に搬送されつつ主走査方向に移動する記録ヘッド１２１から吐出されるインク滴により所定の情報が記録される。最後に、ロール紙Ｒは、排紙部１３０へ送り出されてカッタにより切断され、排紙ローラ１３１とその従動ローラ１３２に挟持されて排紙される。
【００５１】
以上のように、本実施形態のロール紙の保管装置３００によれば、ロール紙を保管庫３２０に収納するときは、横向き状態のロール紙を保持機構３１０に保持させて縦向き状態に旋回させ、そのロール紙を移動機構３３０により保管庫３２０へ移動させる。一方、ロール紙を保管庫３２０から取出すときは、縦向き状態のロール紙を移動機構３３０により保持機構３２０へ移動させ、そのロール紙を保持機構３１０に保持させて横向き状態に旋回させる。したがって、簡易な構成であるにもかかわらず、ロール紙を保管庫３２０に静止保管することができるとともに、ロール紙を保管庫３２０へ容易に収納し、あるいは保管庫３２０から容易に取出すことができるので、従来のように複雑で大掛かりな構成の別装置は不要となり、コストを低減させることができる。
【００５２】
また、保持機構３１０は把持部材３１１と回転機構３１５を有しているので、ロール紙を容易に旋回させることができるとともに、ロール紙の旋回中の落下を防止することができる。また、把持部材３１１はロール紙の外周面の略中央部のみを把持するので、保持機構３１０自体を小型で簡易な構成とすることができる。さらに、保持機構３１０は把持部材３１１及び回転機構３１５を上下に移動させる上下移動手段３１６を有しているので、軸方向の長さが異なるロール紙であっても、その所望の箇所、特に中央部を正確に把持することができる。
【００５３】
また、保管庫３２０部は縦向き状態のロール紙を囲って収納する収納部を有しているので、保管されているロール紙の倒れを防止することができる。また、移動機構３３０は縦向き状態のロール紙の下端部に嵌入してロール紙を軸支して移動する移動部３３１を有しているので、ロール紙を縦向きの状態のままで容易に移動させることができる。さらに、移動機構３３０は保持機構３１０と保管庫３２０との間での移動部３３１の移動を案内する案内経路３３２を有しているので、ロール紙を保持機構３１０及び保管庫３２０に正確に位置決めすることができる。
【００５４】
以上、本発明を種々の実施形態に関して述べたが、本発明は以上の実施形態に限られるものではなく、特許請求の範囲に記載された発明の範囲内で、他の実施形態についても適用されるのは勿論である。例えば、上述した実施形態では、インクジェット式プリンタに使用されるロール紙の保管装置を例に説明したが、これに限定されるものではなく、例えばファクシミリ装置、コピー装置等に使用されるロール紙の保管装置であっても適用可能である。さらに、ロール紙に限定されるものではなく、ロール状媒体であれば同様に適用可能である。
【図面の簡単な説明】
【図１】本発明の実施の形態に係るロール状媒体の保管装置を示す斜視図である。
【図２】インクジェット式プリンタの構成例を示す斜視図である。
【図３】図２のプリンタの主要部の内部構成例を示す斜視図である。
【図４】図２のプリンタの給紙部の詳細を示す斜視図である。
【図５】図１の保管装置に保管されているロール紙を取り出して図２のプリンタに装着し記録する手順を示す第１の図である。
【図６】図１の保管装置に保管されているロール紙を取り出して図２のプリンタに装着し記録する手順を示す第２の図である。
【図７】図１の保管装置に保管されているロール紙を取り出して図２のプリンタに装着し記録する手順を示す第３の図である。
【図８】図１の保管装置に保管されているロール紙を取り出して図２のプリンタに装着し記録する手順を示す第４の図である。
【図９】図１の保管装置に保管されているロール紙を取り出して図２のプリンタに装着し記録する手順を示す第５の図である。
【図１０】図１の保管装置に保管されているロール紙を取り出して図２のプリンタに装着し記録する手順を示す第６の図である。
【図１１】図１の保管装置に保管されているロール紙を取り出して図２のプリンタに装着し記録する手順を示す第７の図である。
【符号の説明】
１０  インクカートリッジ、１００  インクジェット式プリンタ、１１０  本体部、１１１  ハウジング、１１２  上蓋、１１３  前蓋、１２０  記録部、１２１  記録ヘッド、１２２  キャリッジ、１２３  ＦＦＣ、１２４  インクチューブ、１２５  紙送りローラ、１２６  従動ローラ、１２７  レール、１２８  キャリッジベルト、１３０  排紙部、１３１  排紙ローラ、１３２  従動ローラ、１４０  脚部、１４１  コロ、１４２  支持柱、１５０  給紙部、１５１  支持部、１５２  送り出しローラ、１５３  ピンチローラ、１５４  アーム部、１５５  ロール軸、１５６  ロール紙押さえ、１５７  給紙案内、１６０  インクカートリッジホルダ、１６１  ホルダ本体、１６２  カバー、１７０  操作パネル、３００  保管装置、３１０  保持機構、３１１、３１２  把持部材、３１３、３１４  アーム部材、３１５  回転機構、３１６  上下移動機構、３２０  保管庫、３２１  収納部、３３０  移動機構、３３１  移動部材、３３２  案内経路
【図１】
2004359429.tif 000003
【図２】
2004359429.tif 000004
【図３】
2004359429.tif 000005
【図４】
2004359429.tif 000006
【図５】
2004359429.tif 000007
【図６】
2004359429.tif 000008
【図７】
2004359429.tif 000009
【図８】
2004359429.tif 000010
【図９】
2004359429.tif 000011
【図１０】
2004359429.tif 000012
【図１１】
2004359429.tif 000013